(57)【要約】【課題】周辺機器のデバイス情報を登録するためのデバイス制御方法、デバイス及びそのシステムを提供する。【解決手段】他の機器が、ユーザデバイスに連結された周辺機器を利用可能にするために、周辺機器のデバイス情報を、他の機器に登録するためのデバイス制御方法、デバイス及びそのシステムが提供され、該デバイス制御方法は、ユーザデバイスが周辺機器に係わるデバイス情報を獲得する段階と、ユーザデバイスがネットワークデバイスに、デバイス情報を伝送する段階と、ネットワークデバイスがデバイス情報を保存する段階と、ネットワークデバイスと連結された他の周辺機器がデバイス情報を利用して、周辺機器を制御する段階と、を含む。【選択図】図１
2014120171.tif 000002
【特許請求の範囲】
【請求項１】
ユーザデバイスと連結された周辺機器を登録するためのネットワークデバイスの制御方法において、
前記ユーザデバイスとの連結に基づいて、前記周辺機器に係わるデバイス情報を受信する段階と、
前記デバイス情報を前記ネットワークデバイスに保存する段階と、
前記ネットワークデバイスに連結された他の周辺機器に、前記デバイス情報を伝送する段階と、を含み、
前記デバイス情報は、前記周辺機器を識別するための情報を含むことを特徴とするデバイス制御方法。
【請求項２】
前記デバイス情報は、
前記周辺機器を制御するためのアプリケーションをダウンロードするためのＵＲＬ（uniform resource locator）情報をさらに含むことを特徴とする請求項１に記載のデバイス制御方法。
【請求項３】
前記デバイス制御方法は、
前記他の周辺機器から受信された制御命令を、ユーザデバイスに伝送する段階をさらに含み、
前記制御命令は、前記周辺機器を制御するためのものであることを特徴とする請求項１に記載のデバイス制御方法。
【請求項４】
前記デバイス制御方法は、
前記他の周辺機器を識別する段階と、
前記識別した結果により、前記他の周辺機器に対してＩＤ（identification）を付与する段階と、をさらに含み、
前記ＩＤは、前記他の周辺機器がＩＤに対して付与された権限によって、前記周辺機器を制御するためのものであり、
前記権限は、所定の期間または所定の制御動作に限って有効であることを特徴とする請求項１に記載のデバイス制御方法。
【請求項５】
前記デバイス制御方法は、
前記受信されたデバイス情報と関連した推薦サービスに係わる情報を、前記ユーザデバイスに伝送する段階を含むことを特徴とする請求項１に記載のデバイス制御方法。
【請求項６】
ユーザデバイスが、前記ユーザデバイスに連結された周辺機器をネットワークデバイスに登録するためのデバイス制御方法において、
前記ユーザデバイスが、前記周辺機器に係わるデバイス情報を獲得する段階と、
前記ネットワークデバイスと通信を連結する段階と、
前記ネットワークデバイスと前記ユーザデバイスとの連結を介して、前記周辺機器に係わるデバイス情報を、前記ネットワークデバイスに伝送する段階と、を含み、
前記デバイス情報は、前記周辺機器を識別するための情報を含むことを特徴とするデバイス制御方法。
【請求項７】
前記デバイス情報は、
前記周辺機器を制御するアプリケーションをダウンロードするためのＵＲＬ（uniform resource locator）情報をさらに含むことを特徴とする請求項６に記載のデバイス制御方法。
【請求項８】
ネットワークデバイスが、ユーザデバイスと連結された周辺機器を登録するためのデバイス制御方法において、
前記ユーザデバイスとの連結に基づいて、前記周辺機器に係わるデバイス情報を受信する段階と、
前記デバイス情報を前記ネットワークデバイスに保存する段階と、
前記デバイス情報に基づいて、前記周辺機器を制御する段階と、を含み、
前記デバイス情報は、前記周辺機器を識別するための情報を含むことを特徴とするデバイス制御方法。
【請求項９】
前記デバイス情報を受信する段階は、
前記周辺機器から連結要請を受信する段階と、
前記連結要請によって、前記周辺機器と連結する段階と、
前記周辺機器からデバイス情報を受信する段階と、を含むことを特徴とする請求項８に記載のデバイス制御方法。
【請求項１０】
ユーザデバイスが、前記ユーザデバイスに連結された周辺機器をネットワークデバイスに登録するためのデバイス制御方法において、
第１ネットワークデバイスに保存された少なくとも１つの周辺機器に係わるデバイス情報を獲得する段階と、
前記ユーザデバイスが第２ネットワークデバイスに連結する段階と、
前記ユーザデバイスが前記デバイス情報を、前記第２ネットワークデバイスに伝送する段階と、を含み、
前記伝送されたデバイス情報は、前記第１ネットワークデバイスに連結された前記周辺機器を識別するための情報を含むデバイス制御方法。
【請求項１１】
周辺機器を登録するネットワークデバイスにおいて、
ユーザデバイスとの連結に基づいて、前記ユーザデバイスと連結された周辺機器に係わるデバイス情報を受信し、前記ネットワークデバイスに連結された他の周辺機器に、前記デバイス情報を伝送する通信部と、
前記他の周辺機器を識別し、識別結果によって、前記デバイス情報の伝送いかんを決定する制御部と、
前記デバイス情報を保存する保存部と、を含み、
前記デバイス情報は、前記周辺機器を識別するための情報を含むことを特徴とするネットワークデバイス。
【請求項１２】
ユーザデバイスに連結された周辺機器をネットワークデバイスに登録する前記ユーザデバイスにおいて、
前記周辺機器に係わるデバイス情報を獲得するデバイス情報獲得部と、
前記ネットワークデバイスとの通信を連結し、前記ネットワークデバイスと前記ユーザデバイスとの連結に基づいて、前記周辺機器に係わるデバイス情報を、前記ネットワークデバイスに伝送する通信部と、を含み、
前記デバイス情報は、前記周辺機器を識別するための情報を含むことを特徴とするユーザデバイス。
【請求項１３】
ユーザデバイスと連結された周辺機器を登録するネットワークデバイスにおいて、
前記ユーザデバイスとの連結に基づいて、前記周辺機器に係わるデバイス情報を受信する通信部と、
前記デバイス情報を前記ネットワークデバイスに保存する保存部と、
前記デバイス情報に基づいて、前記周辺機器を制御する制御部と、を含み、
前記デバイス情報は、前記周辺機器を識別するための情報を含むことを特徴とするネットワークデバイス。
【請求項１４】
第１ネットワークデバイス及び第２ネットワークデバイスとの通信を連結するユーザデバイスにおいて、
前記第１ネットワークデバイスに保存された少なくとも１つの周辺機器に係わるデバイス情報を獲得するデバイス情報獲得部と、
第２ネットワークデバイスに連結し、前記受信されたデバイス情報を、前記第２ネットワークデバイスに伝送する通信部と、を含み、
前記伝送されたデバイス情報は、前記第１ネットワークデバイスに連結された周辺機器を識別するための情報を含むユーザデバイス。
【請求項１５】
周辺機器を登録する第２ネットワークデバイスにおいて、
ユーザデバイスから、第１ネットワークデバイスに保存されたデバイス情報を受信し、前記受信されたデバイス情報を、前記第２ネットワークデバイスに連結された他の周辺機器に伝送する通信部と、
前記デバイス情報を、前記第２ネットワークデバイスに保存する保存部と、を含み、
前記デバイス情報は、前記周辺機器を識別するための情報を含むことを特徴とするネットワークデバイス。
【発明の詳細な説明】
【技術分野】
【０００１】
本発明は、他の機器が、ユーザデバイスに連結された周辺機器を利用可能にするために、周辺機器のデバイス情報を、他の機器に登録するためのデバイス制御方法、デバイス及びそのシステムに関する。
【背景技術】
【０００２】
携帯端末機、ＰＣ（personal computer）またはＴＶ（television）など多様なユーザデバイスを利用して、サービスを提供するにおいて、イヤホン、ヘッドホンまたはディスプレイ装置など多様な周辺機器を利用して、サービスが提供される。
【０００３】
ここで、周辺機器のデバイス情報をネットワークデバイスに保存しておき、任意のデバイスが、ネットワークデバイスに接続することにより、ネットワークデバイスに保存されたデバイス情報を介して、周辺機器を利用することができる。従って、ネットワークデバイスに、周辺機器のデバイス情報を容易に保存し、保存されたデバイス情報を利用して、周辺機器を手軽に利用可能にする必要がある。
【発明の概要】
【発明が解決しようとする課題】
【０００４】
本発明の一実施形態は、ユーザデバイスに連結された周辺機器のデバイス情報を容易にネットワークデバイスに保存する方法、デバイス及びシステムを提供するものである。
【０００５】
また、本発明の一実施形態は、ネットワークデバイスに保存されたデバイス情報を利用して、外部デバイスが周辺機器を制御する方法、デバイス及びシステムを提供するものである。
【課題を解決するための手段】
【０００６】
前述の技術的課題を解決するための技術的手段として、本発明の一実施形態によるデバイス制御方法は、ユーザデバイスが周辺機器に係わるデバイス情報を獲得する段階と、ユーザデバイスがネットワークデバイスに、周辺機器に係わるデバイス情報を伝送する段階と、ネットワークデバイスがデバイス情報を保存する段階と、ネットワークデバイスと連結された他の周辺機器がデバイス情報を利用して、周辺機器を制御する段階と、を含み、デバイス情報は、周辺機器を識別するための情報を含んでもよい。
【０００７】
本発明の他の一実施形態によれば、デバイス情報は、周辺機器を制御するためのアプリケーションをダウンロードするためのＵＲＬ（uniform resource locator）情報をさらに含み、デバイス制御方法は、ＵＲＬ情報に基づいて、他の周辺機器がアプリケーションをダウンロードしてインストールする段階をさらに含んでもよい。
【０００８】
本発明のさらに他の一実施形態によれば、他の周辺機器が周辺機器を制御する段階は、他の周辺機器が周辺機器を制御するための制御命令をユーザデバイスに伝送する段階、及びユーザデバイスが制御命令に基づいて、周辺機器を制御する段階を含んでもよい。
【０００９】
本発明のさらに他の一実施形態によるデバイス制御方法は、他の周辺機器がネットワークデバイスに連結し、ネットワークデバイスから、周辺機器を制御するための権限を受ける段階、及び権限に基づいて、外部デバイスが周辺機器を制御する段階を含んでもよい。
【００１０】
本発明のさらに他の一実施形態によれば、周辺機器を制御するための権限は、所定の回数、所定の期間または所定の制御動作に限って有効であることを特徴とする。
【００１１】
本発明のさらに他の一実施形態によれば、他の周辺機器が前記ネットワークデバイスに連結し、前記ネットワークデバイスから、前記周辺機器を制御するための権限を受ける段階は、ネットワークデバイスが他の周辺機器を識別する段階、及びネットワークデバイスの識別結果によって、他の周辺機器が権限を受ける段階を含んでもよい。
【００１２】
本発明のさらに他の一実施形態によれば、ユーザデバイスが前記デバイス情報を伝送する段階は、ネットワークデバイスがユーザデバイスと連結されることにより、ネットワークデバイスがユーザデバイスに、デバイス情報伝送を要請する段階、及びユーザデバイスが、デバイス情報伝送に対する要請によって、デバイス情報を、ネットワークデバイスに伝送する段階を含んでもよい。
【００１３】
本発明のさらに他の一実施形態によれば、デバイス制御方法は、ユーザデバイスが周辺機器に、ネットワークデバイスに係わる連結情報を伝送する段階、及び周辺機器がネットワークデバイスに係わる連結情報に基づいて、デバイス情報を、ネットワークデバイスに伝送する段階をさらに含んでもよい。
【００１４】
本発明のさらに他の一実施形態によれば、デバイス制御方法は、ネットワークデバイスが、デバイス情報と関連した推薦サービスに係わる情報を、ユーザデバイスに伝送する段階を含んでもよい。
【００１５】
本発明のさらに他の一実施形態によれば、デバイス制御方法は、ユーザデバイスがデバイス情報を、ネットワークデバイスから受信する段階、及びユーザデバイスが他のネットワークデバイスに連結されることにより、デバイス情報を、他のネットワークデバイスに伝送する段階をさらに含み、他のネットワークデバイスは、デバイス情報を利用して、他のネットワークデバイスに連結された周辺機器を制御することを特徴とする。
【００１６】
本発明の一実施形態によって、ネットワークデバイスが、ユーザデバイスと連結された周辺機器を登録する方法は、ユーザデバイスとの連結に基づいて、周辺機器に係わるデバイス情報を受信する段階、デバイス情報をネットワークデバイスに保存する段階、及びネットワークデバイスに連結された他の周辺機器に、デバイス情報を伝送する段階を含み、デバイス情報は、周辺機器を識別するための情報を含んでもよい。
【００１７】
本発明の他の一実施形態によれば、デバイス情報は、前記周辺機器を制御するためのアプリケーションをダウンロードするためのＵＲＬ情報をさらに含んでもよい。
【００１８】
本発明のさらに他の一実施形態によるデバイス制御方法は、他の周辺機器から受信された制御命令を、ユーザデバイスに伝送する段階をさらに含み、制御命令は、周辺機器を制御するためのものでもある。
【００１９】
本発明のさらに他の一実施形態によれば、デバイス制御方法は、他の周辺機器を識別する段階、及び識別結果によって、他の周辺機器に対してＩＤ（identification）を付与する段階をさらに含み、ＩＤは、他の周辺機器が、ＩＤに対して付与された権限によって、周辺機器を制御するためのものでもある。
【００２０】
本発明のさらに他の一実施形態によれば、デバイス情報を伝送する段階は、ＩＤを他の周辺機器に共に伝送することを特徴とする。
【００２１】
本発明のさらに他の一実施形態によれば、周辺機器を制御するための権限は、所定の期間または所定の制御動作に限って有効であることを特徴とする。
【００２２】
本発明のさらに他の一実施形態によれば、ユーザデバイスから前記周辺機器に係わるデバイス情報を受信する段階は、ネットワークデバイスが前記ユーザデバイスと連結されることにより、前記ネットワークデバイスが前記ユーザデバイスにデバイス情報を要請する段階、及び要請によって、ユーザデバイスから周辺機器に係わるデバイス情報を受信する段階を含んでもよい。
【００２３】
本発明のさらに他の一実施形態によれば、デバイス情報を受信する段階は、周辺機器がネットワークデバイスに連結する段階、及び周辺機器からデバイス情報を受信する段階を含んでもよい。
【００２４】
本発明のさらに他の一実施形態によれば、デバイス制御方法は、受信されたデバイス情報と関連した推薦サービスに係わる情報を、前記ユーザデバイスに伝送する段階を含んでもよい。
【００２５】
本発明の一実施形態によるユーザデバイスが、前記ユーザデバイスに連結された周辺機器をネットワークデバイスに登録する方法は、ユーザデバイスが周辺機器に係わるデバイス情報を獲得する段階と、ネットワークデバイスとの通信を連結する段階、及びネットワークデバイスとユーザデバイスとの連結に基づいて、前記周辺機器に係わるデバイス情報を、ネットワークデバイスに伝送する段階を含み、デバイス情報は、前記周辺機器を識別するための情報を含んでもよい。
【００２６】
本発明の他の一実施形態によれば、デバイス情報は、周辺機器を制御するアプリケーションをダウンロードするためのＵＲＬ情報をさらに含んでもよい。
【００２７】
本発明のさらに他の一実施形態によれば、デバイス制御方法は、ネットワークデバイスに連結された他の周辺機器から、周辺機器を制御するための制御命令を受信する段階、及び受信された制御命令に基づいて、周辺機器を制御する段階を含んでもよい。
【００２８】
本発明のさらに他の一実施形態によれば、デバイス情報を前記ネットワークデバイスに伝送する段階は、ネットワークデバイスからデバイス情報伝送に対する要請を受信する段階、及びユーザデバイスが要請によって、デバイス情報を、ネットワークデバイスに伝送する段階を含んでもよい。
【００２９】
本発明のさらに他の一実施形態によれば、デバイス情報を獲得する段階は、要請を受信することにより、ユーザデバイスに連結された周辺機器にデバイス情報を要請する段階、及び周辺機器からデバイス情報を受信する段階を含んでもよい。
【００３０】
本発明のさらに他の一実施形態によれば、デバイス情報を伝送する段階は、ユーザデバイスが周辺機器に、ネットワークデバイスに係わる連結情報を伝送することにより、周辺機器をして、デバイス情報を、ネットワークデバイスに伝送させることを特徴とする。
【００３１】
本発明のさらに他の一実施形態によれば、デバイス制御方法は、ネットワークデバイスから伝送されたデバイス情報と関連した推薦サービスに係わる情報を受信する段階、及び受信された推薦サービスに係わる情報をディスプレイする段階を含んでもよい。
【００３２】
本発明のさらに他の一実施形態によれば、デバイス制御方法は、ユーザデバイスがデバイス情報を、ネットワークデバイスから受信する段階と、ユーザデバイスが他のネットワークデバイスに連結されることにより、デバイス情報を、他のネットワークデバイスに伝送する段階と、をさらに含んでもよい。
【００３３】
本発明の一実施形態によるデバイス制御方法は、ユーザデバイスが周辺機器に係わるデバイス情報を獲得する段階と、ユーザデバイスがネットワークデバイスに、周辺機器に係わるデバイス情報を伝送する段階と、ネットワークデバイスがデバイス情報を保存する段階と、ネットワークデバイスがデバイス情報を利用して、周辺機器を制御する段階と、を含み、デバイス情報は、周辺機器を識別するための情報を含んでもよい。
【００３４】
本発明の他の一実施形態によれば、デバイス情報は、周辺機器を制御するためのアプリケーションをダウンロードするためのＵＲＬ情報をさらに含み、デバイス制御方法は、ＵＲＬ情報に基づいて、ネットワークデバイスがアプリケーションをダウンロードしてインストールする段階をさらに含んでもよい。
【００３５】
本発明のさらに他の一実施形態によれば、ネットワークデバイスが前記周辺機器を制御する段階は、他の周辺機器が周辺機器を制御するための制御命令を、ユーザデバイスに伝送する段階、及びユーザデバイスが制御命令に基づいて、周辺機器を制御する段階を含んでもよい。
【００３６】
本発明のさらに他の一実施形態によれば、ユーザデバイスが前記デバイス情報を伝送する段階は、ネットワークデバイスがユーザデバイスと連結されることにより、ネットワークデバイスがユーザデバイスに、デバイス情報伝送を要請する段階、及びユーザデバイスが、デバイス情報伝送に対する要請によって、デバイス情報を、ネットワークデバイスに伝送する段階を含んでもよい。
【００３７】
本発明のさらに他の一実施形態によれば、デバイス制御方法は、ユーザデバイスが周辺機器に、ネットワークデバイスに係わる連結情報を伝送する段階、及び周辺機器がネットワークデバイスに係わる連結情報に基づいて、デバイス情報を、ネットワークデバイスに伝送する段階をさらに含んでもよい。
【００３８】
本発明のさらに他の一実施形態によれば、デバイス制御方法は、ネットワークデバイスが、デバイス情報と関連した推薦サービスに係わる情報を、ユーザデバイスに伝送する段階を含んでもよい。
【００３９】
本発明のさらに他の一実施形態によれば、デバイス制御方法は、ユーザデバイスがデバイス情報を、ネットワークデバイスから受信する段階と、ユーザデバイスが他のネットワークデバイスに連結されることにより、デバイス情報を、他のネットワークデバイスに伝送する段階と、をさらに含み、他のネットワークデバイスは、デバイス情報を利用して、他のネットワークデバイスに連結された周辺機器を制御することができる。
【００４０】
本発明の一実施形態によって、ネットワークデバイスが、ユーザデバイスと連結された周辺機器を登録する方法は、ユーザデバイスとの連結に基づいて、周辺機器に係わるデバイス情報を受信する段階と、デバイス情報をネットワークデバイスに保存する段階と、デバイス情報に基づいて、周辺機器を制御する段階と、を含み、デバイス情報は、周辺機器を識別するための情報を含んでもよい。
【００４１】
本発明の他の一実施形態によれば、デバイス情報は、周辺機器を制御するためのアプリケーションをダウンロードするためのＵＲＬ情報をさらに含み、デバイス制御方法は、ＵＲＬ情報を利用して、アプリケーションをダウンロードしてインストールする段階をさらに含んでもよい。
【００４２】
本発明のさらに他の一実施形態によれば、ユーザデバイスから周辺機器に係わるデバイス情報を受信する段階は、ネットワークデバイスがユーザデバイスと連結されることにより、ネットワークデバイスがユーザデバイスに、デバイス情報を要請する段階、及び要請によって、ユーザデバイスから周辺機器に係わるデバイス情報を受信する段階を含んでもよい。
【００４３】
本発明のさらに他の一実施形態によれば、デバイス情報を受信する段階は、周辺機器から連結要請を受信する段階と、連結要請によって、周辺機器と連結する段階と、周辺機器からデバイス情報を受信する段階と、を含んでもよい。
【００４４】
本発明のさらに他の一実施形態によれば、デバイス制御方法は、受信されたデバイス情報と関連した推薦サービスに係わる情報を、ユーザデバイスに伝送する段階を含んでもよい。
【００４５】
本発明の一実施形態によるデバイス制御方法は、ユーザデバイスが第１ネットワークデバイスに保存された少なくとも１つの周辺機器に係わるデバイス情報を獲得する段階と、ユーザデバイスが第２ネットワークデバイスに連結する段階と、ユーザデバイスがデバイス情報を第２ネットワークデバイスに伝送する段階と、を含み、伝送されたデバイス情報は、第１ネットワークデバイスに連結された周辺機器を識別するための情報を含んでもよい。
【００４６】
本発明の他の一実施形態によれば、デバイス情報を第２ネットワークデバイスに伝送する段階は、第１ネットワークデバイスに係わる連結情報を第２ネットワークデバイスに共に伝送し、デバイス制御方法は、第２ネットワークデバイスが連結情報を利用して、第１ネットワークデバイスに連結し、周辺機器を制御する段階は、第２ネットワークデバイスに連結された他の周辺機器が第２ネットワークデバイス及び第１ネットワークデバイスを介して周辺機器に制御命令を伝送することができる。
【００４７】
本発明の一実施形態によって、第１ネットワークデバイスに連結された周辺機器を第２ネットワークデバイスに登録する方法は、ユーザデバイスから周辺機器に係わるデバイス情報を受信する段階と、デバイス情報を第２ネットワークデバイスに保存する段階と、保存されたデバイス情報を、第２ネットワークデバイスに連結された他の周辺機器に伝送する段階と、を含み、デバイス情報は、周辺機器を識別するための情報を含んでもよい。
【００４８】
本発明の一実施形態によって、ユーザデバイスが、前記ユーザデバイスに連結された周辺機器をネットワークデバイスに登録する方法は、第１ネットワークデバイスに保存された少なくとも１つの周辺機器に係わるデバイス情報を獲得する段階と、ユーザデバイスが第２ネットワークデバイスに連結する段階と、ユーザデバイスがデバイス情報を第２ネットワークデバイスに伝送する段階と、を含み、伝送されたデバイス情報は、第１ネットワークデバイスに連結された周辺機器を識別するための情報を含んでもよい。
【００４９】
本発明のさらに他の一実施形態によれば、デバイス制御方法は、第２ネットワークデバイスから、第２ネットワークデバイスに連結された周辺機器のうち、デバイス情報に対応する機器に係わる連結情報を受信する段階をさらに含み、ユーザデバイスは、連結情報に基づいて、デバイス情報に対応する機器と連結し、デバイス情報に対応する機器を制御することができる。
【００５０】
本発明の一実施形態によるデバイス制御方法は、ユーザデバイスが、第１ネットワークデバイスに保存された少なくとも１つの周辺機器に係わるデバイス情報を獲得する段階と、ユーザデバイスが第２ネットワークデバイスに連結する段階と、ユーザデバイスが、受信されたデバイス情報を第２ネットワークデバイスに伝送する段階と、第２ネットワークデバイスが、第２ネットワークデバイスに連結された周辺機器を制御する段階と、を含み、伝送されたデバイス情報は、第１ネットワークデバイスに連結された前記周辺機器を識別するための情報を含んでもよい。
【００５１】
本発明のさらに他の一実施形態によれば、デバイス情報は、前記第１ネットワークデバイスに連結された前記周辺機器の現在状態に係わる情報を含み、第２ネットワークデバイスに連結された周辺機器を制御する段階は、周辺機器の現在状態に係わる情報によって、第２ネットワークデバイスに連結された周辺機器を制御することを特徴とする。
【００５２】
本発明の一実施形態によるデバイス制御システムは、周辺機器に係わるデバイス情報を獲得し、ネットワークデバイスに、周辺機器に係わるデバイス情報を伝送するユーザデバイス；ユーザデバイスから受信されたデバイス情報を保存し、他の周辺機器に、デバイス情報を伝送するネットワークデバイス；及びネットワークデバイスに保存されたデバイス情報を利用して、周辺機器を制御する他の周辺機器；を含み、デバイス情報は、周辺機器を識別するための情報を含んでもよい。
【００５３】
本発明の一実施形態によって、周辺機器を登録するネットワークデバイスは、ユーザデバイスとの連結に基づいて、ユーザデバイスと連結された周辺機器に係わるデバイス情報を受信し、ネットワークデバイスに連結された他の周辺機器に、前記デバイス情報を伝送する通信部と、他の周辺機器を識別し、識別結果によって、前記デバイス情報の伝送いかんを決定する制御部と、デバイス情報を保存する保存部と、を含み、デバイス情報は、周辺機器を識別するための情報を含んでもよい。
【００５４】
本発明の一実施形態によって、ユーザデバイスに連結された周辺機器をネットワークデバイスに登録する前記ユーザデバイスは、周辺機器に係わるデバイス情報を獲得するデバイス情報獲得部と、ネットワークデバイスとの通信を連結し、ネットワークデバイスとユーザデバイスとの連結に基づいて、周辺機器に係わるデバイス情報を、ネットワークデバイスに伝送する通信部と、を含み、デバイス情報は、周辺機器を識別するための情報を含んでもよい。
【００５５】
本発明の一実施形態によるデバイス制御システムは、ユーザデバイスに連結された周辺機器に係わるデバイス情報を獲得し、ネットワークデバイスに、周辺機器に係わるデバイス情報を伝送するユーザデバイスと、デバイス情報を保存し、デバイス情報を利用して、周辺機器を制御するネットワークデバイスと、含み、デバイス情報は、周辺機器を識別するための情報を含んでもよい。
【００５６】
本発明の一実施形態によって、ユーザデバイスと連結された周辺機器を登録するネットワークデバイスは、ユーザデバイスとの連結に基づいて、周辺機器に係わるデバイス情報を受信する通信部と、デバイス情報をネットワークデバイスに保存する保存部と、デバイス情報に基づいて、周辺機器を制御する制御部と、を含み、デバイス情報は、周辺機器を識別するための情報を含んでもよい。
【００５７】
本発明の一実施形態によるユーザデバイスは、第１ネットワークデバイスに保存された少なくとも１つの周辺機器に係わるデバイス情報を獲得するデバイス情報獲得部と、第２ネットワークデバイスに連結し、受信されたデバイス情報を、前記第２ネットワークデバイスに伝送する通信部と、を含み、伝送されたデバイス情報は、第１ネットワークデバイスに連結された周辺機器を識別するための情報を含んでもよい。
【００５８】
本発明の一実施形態によって、周辺機器を登録する第２ネットワークデバイスは、ユーザデバイスから、第１ネットワークデバイスに保存されたデバイス情報を受信し、受信されたデバイス情報を、第２ネットワークデバイスに連結された他の周辺機器に伝送する通信部と、デバイス情報を第２ネットワークデバイスに保存する保存部と、を含み、デバイス情報は、周辺機器を識別するための情報を含んでもよい。
【００５９】
本発明の一実施形態によるデバイス制御システムは、ユーザデバイスが、第１ネットワークデバイスに保存された少なくとも１つの周辺機器に係わるデバイス情報を獲得し、第２ネットワークデバイスに連結されることにより、デバイス情報を第２ネットワークデバイスに伝送するユーザデバイスと、デバイス情報に基づいて、第２ネットワークデバイスに連結された周辺機器を制御する第２ネットワークデバイスと、を含み、伝送されたデバイス情報は、第１ネットワークデバイスに連結された周辺機器を識別するための情報を含んでもよい。
【００６０】
電子機器のコンデンツ提供方法は、コンデンツを再生する段階と、ユーザを撮影する段階と、前記撮影された映像から、前記ユーザの姿勢情報を獲得する段階と、前記獲得された姿勢情報に基づいて、前記ユーザの姿勢が良好であるか否かを判断する段階と、前記判断結果によって、前記コンデンツ再生画面を制御する段階と、を含んでもよい。
【００６１】
また、本発明の他の実施形態は、前記電子機器のコンデンツ提供方法において、前記コンデンツ再生画面を制御する段階は、前記ユーザの姿勢が良好ではないと判断することにより、前記コンデンツ再生画面を歪曲して出力することができる。
【図面の簡単な説明】
【００６２】
【図１】本発明の一実施形態によって、周辺機器をネットワークデバイスに登録する構造を簡単に図示した図面である。
【図２】本発明の一実施形態によるデバイス制御システムで、ネットワークデバイスに周辺機器を登録するプロセスを示したフローチャートである。
【図３】本発明の一実施形態によって、ユーザデバイスがネットワークデバイスに、周辺機器を登録するプロセスを示したフローチャートである。
【図４Ａ】本発明の一実施形態によって、ユーザデバイスがネットワークデバイスに、周辺機器を登録する過程を示した図面である。
【図４Ｂ】本発明の一実施形態によって、ユーザデバイスがネットワークデバイスに、周辺機器を登録する過程を示した図面である。
【図４Ｃ】本発明の一実施形態によって、ユーザデバイスがネットワークデバイスに、周辺機器を登録する過程を示した図面である。
【図４Ｄ】本発明の一実施形態によって、ユーザデバイスがネットワークデバイスに、周辺機器を登録する過程を示した図面である。
【図５】本発明の一実施形態によって、ネットワークデバイスに周辺機器を登録するプロセスを示した図面である。
【図６】本発明の一実施形態によって、ユーザデバイスがネットワークデバイスに、周辺機器を登録するプロセスを示したフローチャートである。
【図７】本発明の他の一実施形態によって、ネットワークデバイスに周辺機器を登録するプロセスを示した図面である。
【図８】本発明の他の一実施形態によって、ユーザデバイスがネットワークデバイスに、周辺機器を登録するプロセスを示したフローチャートである。
【図９】本発明のさらに他の一実施形態によって、ネットワークデバイスに周辺機器を登録するプロセスを示した図面である。
【図１０】本発明のさらに他の一実施形態によって、ユーザデバイスがネットワークデバイスに、周辺機器を登録するプロセスを示したフローチャートである。
【図１１】本発明のさらに他の一実施形態によって、ネットワークデバイスに周辺機器を登録するプロセスを示した図面である。
【図１２】発明のさらに他の一実施形態によって、ユーザデバイスがネットワークデバイスに、周辺機器を登録するプロセスを示したフローチャートである。
【図１３】本発明の一実施形態によって、ネットワークデバイスが周辺機器を登録して制御するプロセスを示したフローチャートである。
【図１４】本発明の一実施形態によって、ネットワークデバイスがデバイス情報を利用して、周辺機器を制御するプロセスを示した図面である。
【図１５】本発明の一実施形態によって、ネットワークデバイスが周辺機器を制御するときのトポロジー変化を示した図面である。
【図１６】本発明の他の一実施形態によって、ネットワークデバイスがデバイス情報を利用して、周辺機器を制御するプロセスを示した図面である。
【図１７】本発明の他の一実施形態によって、ネットワークデバイスが周辺機器を制御するときのトポロジー変化を示した図面である。
【図１８】本発明の一実施形態によって、ネットワークデバイスに連結された他の周辺機器が、ネットワークデバイスに登録された周辺機器を制御するプロセスを示したフローチャートである。
【図１９】本発明の一実施形態によって、他の周辺機器がデバイス情報を利用して、周辺機器を制御するプロセスを示した図面である。
【図２０】本発明の一実施形態によって、他の周辺機器が周辺機器を制御するときのトポロジー変化を示した図面である。
【図２１】本発明の他の一実施形態によって、他の周辺機器がデバイス情報を利用して、周辺機器を制御するプロセスを示した図面である。
【図２２】本発明の他の一実施形態によって、他の周辺機器が周辺機器を制御するときのトポロジー変化を示した図面である。
【図２３】本発明の一実施形態によるデバイス制御システムに含まれたユーザデバイス及びネットワークデバイスの構造を簡単に示した構造図である。
【図２４】本発明の一実施形態によって、ネットワークデバイスが、ネットワークデバイスに連結された他の周辺機器に、周辺機器制御に係わる権限を付与するプロセスを示したフローチャートである。
【図２５】本発明の一実施形態によって、ゲートウェイに登録されたプリンタを、携帯電話が制御する一例を簡単に示した図面である。
【図２６】本発明の一実施形態によって、講義用端末機に連結された学習用端末機を、大型ディスプレイ装置に登録して制御する一例を簡単に示した図面である。
【図２７】本発明の一実施形態によって、ホームゲートウェイに連結された周辺機器を携帯電話に登録し、携帯電話が周辺機器を制御する一例を簡単に示した図面である。
【図２８】本発明の他の一実施形態によるデバイス制御システムの構成を簡単に示した構造図である。
【図２９】本発明の他の一実施形態によって、周辺機器を登録するプロセスを示したフローチャートである。
【図３０】本発明の本発明の他の一実施形態によって、周辺機器を登録するプロセスを示したフローチャートである。
【図３１】本発明の他の一実施形態によるデバイス制御システムに含まれたユーザデバイス、及び第２ネットワークデバイスの構造を簡単に示した構造図である。
【図３２】本発明の一実施形態によって、ユーザデバイスが周辺機器を登録して制御する一例を示した図面である。
【図３３】本発明の他の一実施形態によって、ユーザデバイスが周辺機器を登録して制御する一例を示した図面である。
【図３４】本発明のさらに他の一実施形態によって、ユーザデバイスが周辺機器を登録して制御する一例を示した図面である。
【図３５】本発明の一実施形態によるデバイス情報の構成を示す図面である。
【発明を実施するための形態】
【００６３】
以下、添付図面を参照し、本発明が属する技術分野で当業者が容易に実施することができるように、本発明の実施形態について詳細に説明する。しかし、本発明は、さまざまに異なる形態で具現され、ここで説明する実施形態に限定されるものではない。図面で、本発明について明確に説明するために、説明と係わりのない部分は省略し、明細書全体を通じて、類似した部分については、類似した図面符号を付した。
【００６４】
明細書全体で、ある部分が他の部分と「連結」されているとするとき、それは、「直接的に連結」されている場合だけではなく、その中間に、他の素子を挟んで「電気的に連結」されている場合も含む。また、ある部分がある構成要素を「含む」とするとき、それは、特別に反対となる記載がない限り、他の構成要素を除くものではなく、他の構成要素をさらに含んでもよいということを意味する。
【００６５】
以下、添付された図面を参照し、本発明について詳細に説明する。
【００６６】
図１は、本発明の一実施形態によって、周辺機器をネットワークデバイスに登録する構造を簡単に図示した図面である。
【００６７】
ユーザデバイス１００は、他の機器と、有無線通信を介してデータ送受信が可能な電子機器を意味する。例えば、スマートホン、タブレットＰＣ（personal computer）、ＰＤＡ（personal digital assistant）、ゲートウェイ及びその他通信機器が、ユーザデバイス１００に含まれる。
【００６８】
ユーザデバイス１００は、少なくとも１つの周辺機器１２０と連結される。ここで、ユーザデバイス１００と周辺機器１２０は、多様な通信方法を介して連結される。例えば、ユーザデバイス１００は、Ｗｉ−Ｆｉ無線通信標準やブルートゥース（Bluetooth：登録商標）無線通信標準のように、近距離無線通信を介して、周辺機器１２０と連結されたり、あるいは通信ケーブルを利用して、有線で周辺機器１２０と連結される。
【００６９】
本明細書で、１機器が他の機器と連結されるということは、１機器が他の機器とデータ通信を行うことができる状態になるということを意味する。例えば、１機器が他の機器と、ブルートゥース無線通信を介して連結される場合、１機器と異なる機器が連結されることは、１機器が他の機器とペアリング（pairing）を行い、２つの機器間通信のための暗号を入力し、通信の可能な状態になるということを意味する。
【００７０】
本発明の一実施形態によれば、ユーザデバイス１００は、連結された周辺機器１２０に係わるデバイス情報を獲得することができる。ここで、デバイス情報は、周辺機器１２０を識別するための情報を含んでもよい。また、周辺機器１２０を識別するための情報、周辺機器１２０に連結するための情報、周辺機器１２０を制御するための情報、及び周辺機器１２０の状態を確認するための情報を含んでもよい。
【００７１】
例えば、デバイス情報は、周辺機器１２０の名称、周辺機器１２０が属するグループ、周辺機器１２０が支援可能な通信ネットワーク、ＩＰ（internet protocol）アドレス、ＭＡＣ（media access control address）アドレス、及び周辺機器１２０の現在状態などが含まれる。
【００７２】
本発明の一実施形態によれば、ユーザデバイス１００は、周辺機器１２０との連結及び制御のために獲得される情報を、デバイス情報として獲得することができる。例えば、ユーザデバイス１００と周辺機器１２０との連結時、獲得可能な周辺機器１２０のＳＳＩＤ（subsystem identification）と接続パスワードとを、デバイス情報として獲得することができる。
【００７３】
また、本発明の他の一実施形態によれば、ユーザデバイス１００は、周辺機器１２０との連結に基づいて、周辺機器１２０にデバイス情報伝送を要請することができる。周辺機器１２０は、デバイス情報伝送に係わる要請によって、周辺機器１２０が有するデバイス情報を、ユーザデバイス１００に伝送することができる。
【００７４】
本発明の一実施形態によれば、ユーザデバイス１００は、獲得した周辺機器１２０のデバイス情報を、ネットワークデバイス１１０に登録することができる。本明細書で、周辺機器１２０をネットワークデバイス１１０に登録するということは、周辺機器１２０のデバイス情報を、ネットワークデバイス１１０に保存することを意味する。デバイス情報は、ネットワークデバイス１１０に具備された内蔵メモリだけではなく、外装メモリ、またはネットワークデバイス１１０に連結された外部サーバにも保存される。
【００７５】
ここで、ネットワークデバイス１１０は、他の機器と有無線通信が可能であり、データを保存することができるデバイスを意味する。ここで、データは、必ずしもネットワークデバイス１１０内に保存されなければならないものではなく、ネットワークデバイス１１０は、外部装置にデータを保存することもできる。
【００７６】
ネットワークデバイス１１０は、他の機器との通信を連結することにより、変化可能なトポロジー（topology）を有するネットワークを形成することができる。例えば、ネットワークデバイス１１０は、他の周辺機器１３０と連結された連結構造で、周辺機器１２０の登録後、周辺機器１２０と連結し、ネットワークデバイス１１０、周辺機器１２０及び他の周辺機器１３０の間に連結された連結構造を有するネットワークを形成することができる。
【００７７】
また、本明細書でトポロジーとは、デバイス間の連結形態ないし連結構造を意味する。トポロジーは、物理的トポロジー及び論理的トポロジーを含んでもよく、トポロジーは、トポロジー構造（topology structure）に属したデバイス間の物理的または論理的な連結構成によって決定される。例えば、トポロジーは、デバイスの連結関係、デバイス間の連結方法、デバイス間のデータ伝送速度、デバイス間で伝送されるデータの流れ（data flow）、デバイス間で伝送される信号の種類、及びデバイスにインストールされたアプリケーション種類のうち少なくとも一つによって、他のトポロジーと区別されるが、それに制限されるものではない。
【００７８】
また、本明細書で、トポロジーを形成するユーザデバイス１００、ネットワークデバイス１１０、周辺機器１２０及び他の周辺機器１３０は、トポロジー構造内でのデバイスの位置、及び他のデバイスに対するデバイスの役割によって決定される。従って、所定のデバイスは、ユーザデバイス１００、ネットワークデバイス１１０、周辺機器１２０及び他の周辺機器１３０のうち少なくとも一つとして動作することができる。
【００７９】
周辺機器１２０及び他の周辺機器１３０は、他の機器と連結してサービスを行うための機能を提供する機器である。また、周辺機器１２０及び他の周辺機器１３０は、自らサービスを提供するために、他の機器を制御したり、あるいは他の機器から制御命令を受けて動作することができる。例えば、ヘッドホンやイヤホンのように受動的な機器から、スマートホンやタブレットＰＣのように能動的な機器まで、周辺機器１２０または他の周辺機器１３０に含まれる。
【００８０】
図２は、本発明の一実施形態によるデバイス制御システムで、ネットワークデバイスに周辺機器を登録するプロセスを示したフローチャートである。
【００８１】
まず、ユーザデバイス１００は、ユーザデバイス１００に連結された周辺機器１２０に係わるデバイス情報を獲得する（Ｓ２１０）。
【００８２】
ここで、ユーザデバイス１００は、周辺機器１２０が連結されることにより、周辺機器１２０をネットワークデバイス１１０に登録するためのアプリケーションを実行することができる。このとき、周辺機器１２０をネットワークデバイス１１０に登録するためのアプリケーションがインストールされていない場合、アプリケーションをダウンロードしてインストールすることができる。
【００８３】
ここで、本発明の一実施形態によれば、ユーザデバイス１００は、周辺機器１２０に係わるデバイス情報を累積して保存することができる。例えば、ユーザデバイス１００は、周辺機器１２０と連結された時刻や、連結された回数などを保存することができる。
【００８４】
また、ユーザデバイス１００は、周辺機器１２０と連結されるたびに、デバイス情報を獲得することができる。または、一定時間ごとに反復してデバイス情報を獲得したり、あるいはネットワークデバイス１１０からデバイス情報伝送に係わる要請を受けた場合、デバイス情報を獲得することもできる。ユーザデバイス１００がデバイス情報を獲得する時期は、実施形態によって、多様に変更される。
【００８５】
その後、ユーザデバイス１００は、ネットワークデバイス１１０に、周辺機器１２０に係わるデバイス情報を伝送する（Ｓ２２０）。ネットワークデバイス１１０は、周辺機器１２０に係わるデバイス情報を受信し、受信されたデバイス情報を保存する（Ｓ２３０）。
【００８６】
その後、ネットワークデバイス１１０に連結された他の周辺機器１３０が、ネットワークデバイス１１０に保存されたデバイス情報を利用して、周辺機器を制御する（Ｓ２４０）。
【００８７】
ここで、他の周辺機器１３０は、周辺機器１２０を制御するためのアプリケーションを実行することができる。このとき、周辺機器１２０を制御するためのアプリケーションが、他の周辺機器１３０にインストールされていない場合、周辺機器１２０を制御するためのアプリケーションをダウンロードしてインストールすることができる。
【００８８】
本発明の一実施形態によれば、デバイス情報は、周辺機器１２０をダウンロードするためのＵＲＬ（uniform resource locator）情報を含んでもよい。デバイス情報に含まれたＵＲＬ情報は、周辺機器１２０を制御するためのアプリケーションをインストールすることができるファイルの位置を示すことができる。他の周辺機器１３０は、デバイス情報に含まれたＵＲＬ情報を利用して、周辺機器１２０を制御するためのアプリケーションをダウンロードすることができる。
【００８９】
また、本発明の他の一実施形態によれば、ネットワークデバイス１１０は、受信されたデバイス情報によって、デバイス情報と関連した推薦サービスに係わる情報をユーザデバイス１００に伝送することができる。例えば、デバイス情報が、ゲームコントローラに係わるものであるならば、ネットワークデバイス１１０は、関連するゲームコンテンツに係わる情報を、ユーザデバイス１００に伝送することができる。
【００９０】
また、本発明のさらに他の一実施形態によれば、ユーザデバイス１００は、デバイス情報を、ネットワークデバイス１１０から受信することができる。その後、ユーザデバイス１００は、他のネットワークデバイスに連結されることにより、ネットワークデバイス１１０から受信されたデバイス情報を、他のネットワークデバイスに伝送することができる。ここで、他のネットワークデバイスは、デバイス情報を利用して、他のネットワークデバイスに連結された周辺機器を制御することができる。例えば、ネットワークデバイス１１０に連結された照明器具は、電源がついており、テレビは、電源が消えている場合、他のネットワークデバイスに連結された照明器具の電源はつけ、テレビの電源を消すことができる。
【００９１】
また、本発明の一実施形態によれば、他の周辺機器１３０だけではなく、ネットワークデバイス１１０が周辺機器１２０を制御するためのアプリケーションを実行し、周辺機器１２０を制御することができる。
【００９２】
本明細書で、１機器が他の機器を制御するということは、１機器から他の機器に制御命令を伝送し、他の機器に動作を遂行させるだけではなく、１機器が他の機器から制御命令を受信し、動作を遂行することを含む。すなわち、一方的に制御命令を伝送するだけではなく、制御命令を互いに交換することを含む。
【００９３】
図３は、本発明の一実施形態によって、ユーザデバイスがネットワークデバイスに、周辺機器を登録するプロセスを示したフローチャートである。
【００９４】
まず、ユーザデバイス１００は、周辺機器１２０と連結する（Ｓ３１０）。ユーザデバイス１００と周辺機器１２０は、多様な通信方法を介して連結される。例えば、ユーザデバイス１００は、Ｗｉ−Ｆｉ無線通信標準やブルートゥース無線通信標準のように、近距離無線通信を介して、周辺機器１２０と連結されたり、あるいは通信ケーブルを利用して、有線で周辺機器１２０と連結される。
【００９５】
その後、ユーザデバイス１００は、周辺機器１２０が連結されることにより、周辺機器１２０をネットワークデバイス１１０に登録するためのアプリケーションを実行する（Ｓ３２０）。ここで、周辺機器１２０をネットワークデバイス１１０に登録するためのアプリケーションが、ユーザデバイス１００にインストールされていない場合、周辺機器１２０をネットワークデバイス１１０に登録するためのアプリケーションをダウンロードし、インストールすることができる。
【００９６】
その後、ユーザデバイス１００は、実行されたアプリケーションを利用して、周辺機器から、周辺機器１２０に係わるデバイス情報を獲得する（Ｓ３３０）。獲得されたデバイス情報は、ユーザデバイス１００と連結されたネットワークデバイス１１０に伝送される（Ｓ３４０）。
【００９７】
ここで、本発明の一実施形態によれば、ユーザデバイス１００は、ネットワークデバイス１１０との連結を感知する場合、ネットワークデバイス１１０に、前記デバイス情報を伝送することができる。その場合、ユーザデバイス１００は、前記ネットワークデバイス１１０と連結された記録がある場合に限り、デバイス情報を伝送することができる。連結記録があるネットワークデバイス１１０に限り、デバイス情報を伝送することにより、任意のデバイスに不要にデバイス情報が伝送されることを防止することができる。
【００９８】
本発明の他の一実施形態によれば、ユーザデバイス１００は、ネットワークデバイス１１０からデバイス情報を要請された場合、ネットワークデバイス１１０に、前記デバイス情報を伝送することができる。
【００９９】
また、ユーザデバイス１００は、ユーザ入力によって、デバイス情報を伝送するネットワークデバイス１１０を選択してデバイス情報を伝送したり、あるいはデバイス情報の伝送前、ユーザの意思を問うユーザインターフェースを表示することにより、デバイス情報を伝送するか否かに係わるユーザの意思を確認し、デバイス情報を伝送することができる。
【０１００】
図４Ａないし図４Ｄは、本発明の一実施形態によって、ユーザデバイスがネットワークデバイスに、周辺機器を登録する過程を示した図面である。
【０１０１】
図４Ａは、デバイス情報の伝送前、ユーザの意思を問うユーザインターフェースを表示するユーザデバイス１００の一例を示した図面である。ユーザデバイス１００は、ネットワークデバイス１１０にデバイス情報を伝送する前、デバイス情報を伝送するか否かを問うユーザインターフェースを出力することができる。
【０１０２】
図４Ｂは，ユーザデバイス１００に連結された複数の周辺機器１２０のデバイス情報のうち、ネットワークデバイス１１０に伝送される周辺機器１２０のデバイス情報を選択するためのユーザインターフェースの一例を示した図面である。ユーザデバイス１２０は、ユーザデバイス１００に連結された複数の周辺機器１２０のリストを表示し、ユーザ入力によって、ネットワークデバイス１１０に伝送される周辺機器１２０のデバイス情報を選択することができる。ユーザデバイス１００は、選択された周辺機器１２０のデバイス情報のみネットワークデバイス１１０に伝送することができる。
【０１０３】
図４Ａ及び図４Ｂは、本発明についてさらに容易に説明するための例示であるのみ、ユーザデバイス１１０に表示されるユーザインターフェースは、多様に変形されもする。
【０１０４】
図４Ｃは、ユーザデバイス１００がネットワークデバイス１１０に，デバイス情報を伝送する構造を示した図面である。他の周辺機器１３０は、ネットワークデバイス１１０に，周辺機器１２０が登録される以前に、すでに連結された機器と、登録後に連結された機器とをいずれも含んでもよい。
【０１０５】
図４Ｄは、ネットワークデバイス１１０に周辺機器１２０が登録された後、ネットワークデバイスに登録された機器の構造を示した図面である。ネットワークデバイス１１０に保存されたデバイス情報を利用して、ネットワークデバイス１１０、ネットワークデバイスに登録された周辺機器１２０、及び他の周辺機器１３０の間に通信を連結し、相手方機器を制御することができる。
【０１０６】
図５は、本発明の一実施形態によって、ネットワークデバイスに周辺機器を登録するプロセスを示した図面である。
【０１０７】
まず、周辺機器１２０は、ユーザデバイスとの通信を連結する（Ｓ５１０）。ユーザデバイス１００は、周辺機器１２０と連結されることにより、周辺機器登録のためのアプリケーションを実行する（Ｓ５２０）。
【０１０８】
その後、周辺機器１２０は、ユーザデバイス１００に、周辺機器１２０のデバイス情報を伝送する（Ｓ５３０）。ユーザデバイス１００は、受信されたデバイス情報を保存する（Ｓ５４０）。ここで、デバイス情報は、必ずしもユーザデバイス１００に保存されなければならないものではなく、Ｓ５４０段階は、省略されてもよい。
【０１０９】
その後、ユーザデバイス１００がネットワークデバイス１１０と連結される（Ｓ５５０）。ユーザデバイス１００は、ネットワークデバイス１１０との連結を感知することにより、周辺機器１２０のデバイス情報を、ネットワークデバイス１１０に伝送する（Ｓ５６０）。ネットワークデバイス１１０は、受信されたデバイス情報を保存する（Ｓ５７０）。
【０１１０】
図６は、本発明の一実施形態によって、ユーザデバイスがネットワークデバイスに、周辺機器を登録するプロセスを示したフローチャートである。
【０１１１】
まず、ユーザデバイス１００は、周辺機器１２０と連結する（Ｓ６１０）。ユーザデバイス１００は、周辺機器１２０と連結されることにより、周辺機器１２０をネットワークデバイス１１０に登録するための所定のアプリケーションがインストールされているか否かを確認する（Ｓ６２０）。
【０１１２】
周辺機器１２０をネットワークデバイス１１０に登録するための所定のアプリケーションがインストールされていない場合、アプリケーションをダウンロードしてインストールする（Ｓ６２５）。アプリケーションがインストールされている場合、アプリケーションを実行する（Ｓ６３０）。
【０１１３】
その後、ユーザデバイス１００は、実行されたアプリケーションを利用して、周辺機器１２０からデバイス情報を獲得する（Ｓ６４０）。ここで、ユーザデバイス１００は、獲得しようとするデバイス情報を、周辺機器１２０に要請することができる。ユーザデバイス１００は、デバイス情報伝送要請によって、周辺機器１２０からデバイス情報を受信することにより、デバイス情報を獲得することができる。例えば、ユーザデバイス１００は、周辺機器１２０が使用可能な全てのネットワーク種類に係わる情報を要請することができる。
【０１１４】
その後、ユーザデバイス１００は、ネットワークデバイス１１０との連結が感知された場合（Ｓ６５０）、ネットワークデバイス１１０に、デバイス情報を伝送する（Ｓ６６０）。
【０１１５】
図７は、本発明の他の一実施形態によって、ネットワークデバイスに周辺機器を登録するプロセスを示した図面である。
【０１１６】
まず、周辺機器１２０は、ユーザデバイスとの通信を連結する（Ｓ７１０）。ユーザデバイス１００は、周辺機器１２０と連結されることにより、周辺機器登録のためのアプリケーションを実行する（Ｓ７２０）。
【０１１７】
その後、周辺機器１２０は、ユーザデバイス１００に、周辺機器１２０のデバイス情報を伝送する（Ｓ７３０）。ユーザデバイス１００は、受信されたデバイス情報を保存する（Ｓ７４０）。ここで、デバイス情報は、必ずしもユーザデバイス１００に保存されなければならないものではなく、Ｓ７４０段階は、省略されもする。
【０１１８】
その後、ネットワークデバイス１１０がユーザデバイス１００に、デバイス情報伝送を要請する（Ｓ７５０）。ユーザデバイス１００は、受信されたデバイス情報伝送要請によって、周辺機器１２０のデバイス情報を、ネットワークデバイス１１０に伝送する（Ｓ７６０）。ネットワークデバイス１１０は、受信されたデバイス情報を保存する（Ｓ７７０）。
【０１１９】
図８は、本発明の他の一実施形態によって、ユーザデバイスがネットワークデバイスに、周辺機器を登録するプロセスを示したフローチャートである。
【０１２０】
まず、ユーザデバイス１００は、周辺機器１２０と連結する（Ｓ８１０）。ユーザデバイス１００は、周辺機器１２０と連結されることにより、周辺機器１２０をネットワークデバイス１１０に登録するための所定のアプリケーションがインストールされているか否かを確認する（Ｓ８２０）。
【０１２１】
周辺機器１２０をネットワークデバイス１１０に登録するための所定のアプリケーションがインストールされていない場合、アプリケーションをダウンロードしてインストールする（Ｓ８２５）。アプリケーションがインストールされている場合、アプリケーションを実行する（Ｓ８３０）。
【０１２２】
その後、ユーザデバイス１００は、実行されたアプリケーションを利用して、周辺機器１２０からデバイス情報を獲得する（Ｓ８４０）。ここで、ユーザデバイス１００は、獲得しようとするデバイス情報を、周辺機器１２０に要請することができる。ユーザデバイス１００は、デバイス情報伝送要請によって、周辺機器１２０からデバイス情報を受信することにより、デバイス情報を獲得することができる。
【０１２３】
その後、ユーザデバイス１００は、ネットワークデバイス１１０からデバイス情報伝送要請を受信した場合（Ｓ８５０）、ネットワークデバイス１１０に、デバイス情報を伝送する（Ｓ８６０）。
【０１２４】
図９は、本発明のさらに他の一実施形態によって、ネットワークデバイスに周辺機器を登録するプロセスを示した図面である。
【０１２５】
まず、周辺機器１２０は、ユーザデバイスとの通信を連結する（Ｓ９１０）。ユーザデバイス１００は、周辺機器１２０と連結されることにより、周辺機器登録のためのアプリケーションを実行する（Ｓ９２０）。
【０１２６】
その後、ユーザデバイス１００がネットワークデバイス１１０と連結されれば（Ｓ９３０）、ユーザデバイス１００は、ネットワークデバイス１１０との連結を感知することにより、周辺機器１２０にデバイス情報伝送を要請する（Ｓ９４０）。このとき、ユーザデバイス１００は、デバイス情報伝送要請と共に、ネットワークデバイス１１０に係わる連結情報を伝送することができる。
【０１２７】
周辺機器１２０は、ユーザデバイス１００から受信されたネットワークデバイス１１０に係わる連結情報を利用して、ネットワークデバイス１１０に連結することができる。ネットワークデバイス１１０に連結した周辺機器１２０は、ネットワークデバイス１１０にデバイス情報を伝送する（Ｓ９５０）。ネットワークデバイス１１０は、受信されたデバイス情報を保存する（Ｓ９６０）。
【０１２８】
図１０は、本発明のさらに他の一実施形態によって、ユーザデバイスがネットワークデバイスに、周辺機器を登録するプロセスを示したフローチャートである。
【０１２９】
まず、ユーザデバイス１００は、周辺機器１２０と連結する（Ｓ１０１０）。ユーザデバイス１００は、周辺機器１２０と連結されることにより、周辺機器１２０をネットワークデバイス１１０に登録するための所定のアプリケーションがインストールされているか否かを確認する（Ｓ１０２０）。
【０１３０】
周辺機器１２０をネットワークデバイス１１０に登録するための所定のアプリケーションがインストールされていない場合、アプリケーションをダウンロードしてインストールする（Ｓ１０２５）。アプリケーションがインストールされている場合、アプリケーションを実行する（Ｓ１０３０）。
【０１３１】
その後、ユーザデバイス１００は、実行されたアプリケーションを利用して、周辺機器１２０からデバイス情報を獲得する（Ｓ１０４０）。ここで、ユーザデバイス１００は、獲得しようとするデバイス情報を、周辺機器１２０に要請することができる。ユーザデバイス１００は、デバイス情報伝送要請によって、周辺機器１２０からデバイス情報を受信することにより、デバイス情報を獲得することができる。
【０１３２】
その後、ユーザデバイス１００は、ネットワークデバイス１１０との連結が感知された場合（Ｓ１０５０）、周辺機器１２０にデバイス情報伝送要請を伝送する（Ｓ１０６０）。
【０１３３】
図１１は、本発明のさらに他の一実施形態によって、ネットワークデバイスに周辺機器を登録するプロセスを示した図面である。
【０１３４】
まず、周辺機器１２０は、ユーザデバイスとの通信を連結する（Ｓ１１１０）。ユーザデバイス１００は、周辺機器１２０と連結されることにより、周辺機器登録のためのアプリケーションを実行する（Ｓ１１２０）。
【０１３５】
その後、ネットワークデバイス１１０が、ユーザデバイス１００にデバイス情報伝送を要請すれば（Ｓ１１３０）、ユーザデバイス１００は、デバイス情報伝送要請を受信することにより、周辺機器１２０にデバイス情報伝送を要請する（Ｓ１１４０）。このとき、ユーザデバイス１００は、デバイス情報伝送要請と共に、ネットワークデバイス１１０に係わる連結情報を伝送することができる。
【０１３６】
周辺機器１２０は、ユーザデバイス１００から受信されたネットワークデバイス１１０に係わる連結情報を利用して、ネットワークデバイス１１０に連結することができる。ネットワークデバイス１１０に連結した周辺機器１２０は、ネットワークデバイス１１０にデバイス情報を伝送する（Ｓ１１５０）。ネットワークデバイス１１０は、受信されたデバイス情報を保存する（Ｓ１１６０）。
【０１３７】
図１２は、本発明のさらに他の一実施形態によって、ユーザデバイスがネットワークデバイスに、周辺機器を登録するプロセスを示したフローチャートである。
【０１３８】
まず、ユーザデバイス１００は、周辺機器１２０と連結する（Ｓ１２１０）。ユーザデバイス１００は、周辺機器１２０と連結されることにより、周辺機器１２０をネットワークデバイス１１０に登録するための所定のアプリケーションがインストールされているか否かを確認する（Ｓ１２２０）。
【０１３９】
周辺機器１２０をネットワークデバイス１１０に登録するための所定のアプリケーションがインストールされていない場合、アプリケーションをダウンロードしてインストールする（Ｓ１２２５）。アプリケーションがインストールされている場合、アプリケーションを実行する（Ｓ１２３０）。
【０１４０】
その後、ユーザデバイス１００は、実行されたアプリケーションを利用して、周辺機器１２０からデバイス情報を獲得する（Ｓ１０４０）。ここで、ユーザデバイス１００は、獲得しようとするデバイス情報を、周辺機器１２０に要請することができる。ユーザデバイス１００は、デバイス情報伝送要請によって、周辺機器１２０からデバイス情報を受信することにより、デバイス情報を獲得することができる。
【０１４１】
その後、ユーザデバイス１００は、ネットワークデバイス１１０からデバイス情報伝送要請を受信した場合（Ｓ１２５０）、周辺機器１２０にデバイス情報伝送要請を伝送する（Ｓ１２６０）。
【０１４２】
図１３は、本発明の一実施形態によって、ネットワークデバイスが周辺機器を登録して制御するプロセスを示したフローチャートである。
【０１４３】
まず、ネットワークデバイス１１０は、ユーザデバイス１００から受信されたデバイス情報を保存する（Ｓ１３１０）。その後、ネットワークデバイス１１０は、デバイス情報に基づいて、周辺機器１２０に係わるアプリケーションを実行する（Ｓ１３２０）。ここで、ネットワークデバイス１１０に、周辺機器１２０に係わるアプリケーションがインストールされていない場合、ネットワークデバイス１１０は、周辺機器１２０に係わるアプリケーションをダウンロードしてインストールすることができる。
【０１４４】
本発明の一実施形態によれば、周辺機器１２０に係わるアプリケーションは、周辺機器１２０を制御するためのアプリケーションでもある。例えば、周辺機器１２０がテレビである場合、テレビが登録されたネットワークデバイスは、デバイス情報に基づいて、周辺機器１２０がテレビであるということを認識し、テレビを制御するためのアプリケーションをインストールすることができる。
【０１４５】
その後、ネットワークデバイス１１０は、デバイス情報を利用して、周辺機器１２０に連結する。例えば、デバイス情報に含まれたＳＳＩＤ（subsystem identification）、ＩＰ（internet protocol）アドレス及びＷｉ−ｆｉ接続暗号などを利用して、周辺機器にＷｉ−ｆｉネットワークを介して連結することができる。
【０１４６】
その後、ネットワークデバイス１１０は、連結された周辺機器１２０を制御することができる。
【０１４７】
図１４は、本発明の一実施形態によって、ネットワークデバイスがデバイス情報を利用して、周辺機器を制御するプロセスを示した図面である。
【０１４８】
ネットワークデバイス１１０は、周辺機器制御のためのアプリケーションを実行する（Ｓ１４１０）。ここで、周辺機器制御のためのアプリケーションがネットワークデバイス１１０にインストールされていない場合、ネットワークデバイス１１０は、アプリケーションをインストールすることができる。ここで、周辺機器１２０制御のためのアプリケーションは、ネットワークデバイス１１０に保存されたデバイス情報に基づいて、決定することができる。
【０１４９】
ネットワークデバイス１１０は、デバイス情報を利用して、周辺機器１２０に連結し（Ｓ１４２０）、連結された周辺機器１２０に制御命令を伝送する（Ｓ１４３０）。
【０１５０】
図１５は、本発明の一実施形態によって、ネットワークデバイスが周辺機器を制御するときのトポロジー変化を示した図面である。
【０１５１】
周辺機器１２０がネットワークデバイス１１０に登録される前には、周辺機器１２０は、ユーザデバイス１００に連結されている構造を有する（１５１０）。
【０１５２】
図１４でのように、周辺機器１２０がネットワークデバイス１１０に登録された後、ネットワークデバイス１１０が周辺機器１２０を制御する場合、周辺機器１２０がネットワークデバイス１１０に連結されている構造を有する（１５２０）。
【０１５３】
図１６は、本発明の他の一実施形態によって、ネットワークデバイスがデバイス情報を利用して、周辺機器を制御するプロセスを示した図面である。
【０１５４】
本発明の一実施形態によれば、周辺機器１２０が支援可能なネットワークと、ネットワークデバイス１１０が支援可能なネットワークとのうち、一致するネットワークがない場合、ユーザデバイス１００を介して、制御命令を伝送することができる。
【０１５５】
例えば、周辺機器１２０は、ブルートゥース通信方式だけが支援可能であり、ネットワークデバイス１１０は、Ｗｉ−ｆｉ通信だけ可能である場合、ブルートゥース通信方式及びＷｉ−ｆｉ通信がいずれも可能なユーザデバイス１００を介して、制御命令を伝送することができる。すなわち、ネットワークデバイス１１０は、Ｗｉ−ｆｉ通信を介して、ユーザデバイス１００に制御命令を伝送し、制御命令を受信したユーザデバイス１００は、ブルートゥース通信を介して、周辺機器１２０に制御命令を伝送することができる。
【０１５６】
本発明の一実施形態によれば、ネットワークデバイス１１０は、周辺機器１２０によって、周辺機器１２０制御のためのアプリケーションを実行する（Ｓ１６１０）。その後、ネットワークデバイス１１０は、周辺機器を制御するための制御命令を、ユーザデバイス１００に伝送する（Ｓ１６２０）。ユーザデバイス１００は、受信された制御命令を周辺機器１２０に伝送する（Ｓ１６３０）。
【０１５７】
図１７は、本発明の他の一実施形態によって、ネットワークデバイスが周辺機器を制御するときのトポロジー変化を示した図面である。
【０１５８】
周辺機器１２０がネットワークデバイス１１０に登録される前には、周辺機器１２０は、ユーザデバイス１００に連結されている構造を有する（１７１０）。
【０１５９】
図１６でのように、ユーザデバイス１００を介してネットワークデバイス１１０が周辺機器１２０を制御する場合、ネットワークデバイス１１０は、ユーザデバイス１００と連結され、ユーザデバイス１００が周辺機器１２０と連結される構造を有する（１７２０）。
【０１６０】
図１８は、本発明の一実施形態によって、ネットワークデバイスに連結された他の周辺機器が、ネットワークデバイスに登録された周辺機器を制御するプロセスを示したフローチャートである。
【０１６１】
まず、ネットワークデバイス１１０は、ユーザデバイス１００から受信されたデバイス情報を保存する（Ｓ１８１０）。
【０１６２】
その後、ネットワークデバイス１１０は、デバイス情報を、ネットワークデバイス１１０に連結された他の周辺機器１３０に伝送する（Ｓ１８２０）。
【０１６３】
ここで、本発明の一実施形態によれば、ネットワークデバイス１１０が他の周辺機器１３０に、周辺機器１２０の制御に係わる権限を付与する段階をさらに含んでもよい。周辺機器１２０の制御に係わる権限は、他の周辺機器１３０に対して差等的に付与される。例えば、他の周辺機器１３０が複数である場合、一部の機器については、周辺機器１２０に係わる権限を無制限に付与し、一部の機器については、１回に限って、周辺機器１２０に係わる権限を付与することができる。
【０１６４】
本発明の一実施形態によれば、周辺機器１２０を制御するための権限は、所定の回数、所定の期間または所定の制御動作に限って有効なものでもある。例えば、所定の回数は、他の周辺機器１３０が、周辺機器１２０に１回連結して周辺機器１２０を制御した後、周辺機器１２０との連結が終わった場合、他の周辺機器１３０が、周辺機器１２０に係わる制御権限を有することができないようにする。また、所定の期間は、例えば、周辺機器１２０に係わる制御権限が付与された時点から、１時間だけ制御権限が有効になるようにする。また、所定の制御動作は、メディア再生及び編集が可能な周辺機器１２０に対して、他の周辺機器１３０が、メディア再生に係わる制御動作だけ有効になるようにする。
【０１６５】
本発明の一実施形態によれば、ネットワークデバイス１１０は、他の周辺機器１３０を識別し、識別結果によって、他の周辺機器１３０に権限を付与することができる。例えば、会社のゲートウェイに設置されたプリンタに対して、社員の端末機は、無制限にプリンタに係わる制御権限を獲得し、訪問者の端末機は、１回に限り、プリンタに係わる制御権限を獲得するようにする。
【０１６６】
その後、他の周辺機器１３０は、デバイス情報に基づいて、周辺機器１２０を制御する（Ｓ１８３０）。
【０１６７】
ここで、本発明の一実施形態によれば、他の周辺機器１３０は、ネットワークデバイス１１０から、周辺機器１２０制御に係わる権限を受けた場合、他の周辺機器１３０は、受けた権限に基づいて、周辺機器１２０を制御することができる。
【０１６８】
図１９は、本発明の一実施形態によって、他の周辺機器がデバイス情報を利用して、周辺機器を制御するプロセスを示した図面である。
【０１６９】
まず、他の周辺機器１３０がネットワークデバイス１１０と連結する（Ｓ１９１０）。その後、ネットワークデバイス１１０は、他の周辺機器１３０に、周辺機器１２０に係わる制御権限を付与する（Ｓ１９２０）。例えば、他の周辺機器１３０に対して、臨時ＩＤを付与することができる。ただ、Ｓ１９２０段階は、本発明の実施形態によって、省略されもし、本発明の実施形態により、ネットワークデバイス１１０は、別途の制御権限なしに、デバイス情報を、他の周辺機器１３０に伝送することもできる。
【０１７０】
その後、ネットワークデバイス１１０は、周辺機器１２０に係わるデバイス情報を、他の周辺機器１３０に伝送する（Ｓ１９３０）。デバイス情報を受信すれば、他の周辺機器１３０は、周辺機器１２０を制御するためのアプリケーションを実行する（Ｓ１９４０）。ここで、他の周辺機器１３０は、周辺機器１２０を制御するためのアプリケーションが、他の周辺機器１３０にインストールされていない場合、周辺機器１２０を制御するためのアプリケーションをダウンロードしてインストールすることができる。
【０１７１】
その後、他の周辺機器１３０は、デバイス情報に含まれた周辺機器１２０に係わる連結情報を利用して、周辺機器１２０に連結する（Ｓ１９５０）。周辺機器１２０に連結した他の周辺機器１３０は、周辺機器１２０に制御命令を伝送する（Ｓ１９６０）。
【０１７２】
図２０は、本発明の一実施形態によって、他の周辺機器が周辺機器を制御するときのトポロジー変化を示した図面である。
【０１７３】
まず、周辺機器１２０がネットワークデバイス１１０に登録される以前には、周辺機器１２０は、ユーザデバイス１００に連結される。また、他の周辺機器１３０は、ネットワークデバイス１１０に連結される（２０１０）。
【０１７４】
周辺機器１２０がネットワークデバイス１１０に登録され、他の周辺機器１３０がデバイス情報を受信し、周辺機器１２０を制御する場合、周辺機器１２０は、他の周辺機器１３０に連結される（２０２０）。
【０１７５】
図２１は、本発明の他の一実施形態によって、他の周辺機器がデバイス情報を利用して、周辺機器を制御するプロセスを示した図面である。
【０１７６】
まず、他の周辺機器１３０がネットワークデバイス１１０と連結する（Ｓ２１１０）。その後、ネットワークデバイス１１０は、他の周辺機器１３０に、周辺機器１２０に係わる制御権限を付与する（Ｓ２１２０）。例えば、他の周辺機器１３０に対して、臨時ＩＤを付与することができる。ただ、Ｓ２１２０段階は、本発明の実施形態によって、省略されもし、本発明の実施形態により、ネットワークデバイス１１０は、別途の制御権限なしに、デバイス情報を、他の周辺機器１３０に伝送することもできる。
【０１７７】
その後、ネットワークデバイス１１０は、周辺機器１２０に係わるデバイス情報を、他の周辺機器１３０に伝送する（Ｓ２１３０）。ここで、本発明の一実施形態によれば、ネットワークデバイス１１０は、周辺機器１２０のＳＳＩＤ、Ｗｉ−ｆｉ連結暗号のような周辺機器１２０に連結するための情報を除いたデバイス情報を、他の周辺機器１３０に伝送することができる。
【０１７８】
デバイス情報を受信すれば、他の周辺機器１３０は、周辺機器１２０を制御するためのアプリケーションを実行する（Ｓ２１４０）。ここで、他の周辺機器１３０は、周辺機器１２０を制御するためのアプリケーションが、他の周辺機器１３０にインストールされていない場合、周辺機器１２０を制御するためのアプリケーションをダウンロードしてインストールすることができる。
【０１７９】
その後、他の周辺機器１３０は、ネットワークデバイス１１０に制御命令を伝送する（Ｓ２１５０）。制御命令を受信したネットワークデバイス１１０は、周辺機器１２０に制御命令を伝送する（Ｓ２１６０）。
【０１８０】
図２２は、本発明の他の一実施形態によって、他の周辺機器が周辺機器を制御するときのトポロジー変化を示した図面である。
【０１８１】
まず、周辺機器１２０がネットワークデバイス１１０に登録される以前には、周辺機器１２０は、ユーザデバイス１００に連結される。また、他の周辺機器１３０は、ネットワークデバイス１１０に連結される（２２１０）。ネットワークデバイス１１０には他の周辺機器１３０が連結されている（２２１０）。
【０１８２】
周辺機器１２０がネットワークデバイス１１０に登録され、他の周辺機器１３０がデバイス情報を受信し、周辺機器１２０を制御する場合、周辺機器１２０及び他の周辺機器１３０は、ネットワークデバイス１１０に連結される（２０２０）。周辺機器１２０及び他の周辺機器１３０は、ネットワークデバイス１１０を介して、制御命令を送受信することができる。
【０１８３】
図２３は、本発明の一実施形態によるデバイス制御システムに含まれたユーザデバイス及びネットワークデバイスの構造を簡単に示した構造図である。
【０１８４】
本発明の一実施形態によるデバイス制御システムは、周辺機器１２０に係わるデバイス情報を獲得し、ネットワークデバイス１１０に、周辺機器１２０に係わるデバイス情報を伝送するユーザデバイス１００；ユーザデバイス１００から受信されたデバイス情報を保存し、他の周辺機器１３０に伝送するネットワークデバイス１１０；及びネットワークデバイス１１０に保存されたデバイス情報を利用して、周辺機器１２０を制御する他の周辺機器１３０；を含んでもよい。
【０１８５】
ここで、本発明の一実施形態によるネットワークデバイス１１０は、ユーザデバイス１００との連結に基づいて、ユーザデバイスと連結された周辺機器１２０に係わるデバイス情報を受信し、ネットワークデバイス１１０に連結された他の周辺機器１３０にデバイス情報を伝送する通信部２３１３、他の周辺機器１３０を識別し、識別結果によってデバイス情報の伝送いかんを決定する制御部２３１２、及びデバイス情報を保存する保存部２３１１を含んでもよい。
【０１８６】
本発明の一実施形態によれば、ネットワークデバイス１１０に具備された通信部２３１３は、他の機器とデータ通信を行うことができる。例えば、通信部２３１３は、Ｗｉ−ｆｉ、近距離無線通信のような無線通信を介して、他の機器に接続し、データを送受信することができる。または、データ通信ケーブルを利用して、有線通信を介して他の機器に接続してデータを送受信することができる。
【０１８７】
本発明の一実施形態によれば、ネットワークデバイス１１０に具備された制御部２３１２は、他の周辺機器１３０を識別し、識別結果によって、周辺機器１２０のデバイス情報を伝送するか否かを決定することができる。例えば、ネットワークデバイス１１０に連結される機器に係わるグループを設定しておき、他の周辺機器１３０が特定グループに属する場合にのみ、デバイス情報を伝送するようにする。また、制御部２３１２は、ネットワークデバイス１１０に具備された各構成部を制御することができる。
【０１８８】
本発明の一実施形態によれば、ネットワークデバイス１１０に具備された保存部２３１１は、デバイス情報を保存することができる。保存部２３１１は、データを記録し、記録されたデータを読み取ることができる記録媒体を含んでもよい。
【０１８９】
本発明の一実施形態によるユーザデバイス１００は、周辺機器１２０に係わるデバイス情報を獲得するデバイス情報獲得部２３０１、ネットワークデバイス１１０との通信を連結し、ネットワークデバイス１１０とユーザデバイス１００との連結に基づいて、周辺機器１２０に係わるデバイス情報を、ネットワークデバイスに伝送する通信部２３０３、及びユーザデバイス１００に具備された各構成部を制御する制御部２３０２を含んでもよい。
【０１９０】
本発明の一実施形態によれば、ユーザデバイス１００に具備されたデバイス情報獲得部２３０１は、周辺機器１２０に係わるデバイス情報を獲得することができる。ここで、デバイス情報獲得部２３０１は、ユーザデバイス１００が、周辺機器１２０との通信を連結されることにより、獲得される情報を、デバイス情報として獲得することができる。例えば、デバイス情報獲得部２３０１は、ユーザデバイス１００と周辺機器１２０とが、ブルートゥース通信標準によって、ペアリング（pairing）する場合、２機器間にペアリングを行うために必要な機器の識別情報、ＰＩＮ（personal identification number）コードなどをデバイス情報として獲得することができる。
【０１９１】
または、デバイス情報獲得部２３０１は、周辺機器１２０に係わるデバイス情報伝送要請を生成し、周辺機器１２０に伝送することにより、周辺機器１２０からデバイス情報を獲得することができる。
【０１９２】
また、本発明の一実施形態によれば、デバイス情報獲得部２３０１は、獲得されたデバイス情報を保存するための記録媒体を含んでもよい。
【０１９３】
本発明の一実施形態によれば、ユーザデバイス１００に具備された制御部２３０２は、ネットワークデバイス１１０に具備された各構成部を制御することができる。また、制御部２３０２は、周辺機器１２０がユーザデバイス１００に連結されることにより、周辺機器１２０に係わるデバイス情報をネックワークデバイス１１０に登録するためのアプリケーションを実行することができる。
【０１９４】
本発明の一実施形態による周辺機器１２０は、ユーザデバイス１００にデバイス情報を伝送し、ネットワークデバイス１１０または他の周辺機器１３０から、デバイス情報に基づいて、連結要請を受けた場合、ネットワークデバイス１１０または他の周辺機器１３０と連結し、制御命令を送受信することができる。
【０１９５】
本発明の一実施形態による他の周辺機器１３０は、ネットワークデバイス１１０から周辺機器１２０のデバイス情報を受信することができる。周辺機器１２０のデバイス情報を受信した周辺機器１３０は、周辺機器１２０に接続し、周辺機器１２０と制御命令を送受信することにより、周辺機器１２０を制御することができる。
【０１９６】
図２４は、本発明の一実施形態によって、ネットワークデバイスが、ネットワークデバイスに連結された他の周辺機器に、周辺機器制御に係わる権限を付与するプロセスを示したフローチャートである。
【０１９７】
まず、ネットワークデバイス１１０は、ネットワークデバイス１１０に連結された他の周辺機器１３０から、周辺機器１２０に係わる制御権限要請を受信することができる。ここで、制御権限要請は、他の周辺機器１３０がサービスを利用するために必要な機器を、ネットワークデバイス１１０に要請する情報を意味する。
【０１９８】
本発明の一実施形態によれば、制御権限要請は、ネットワークデバイス１１０が周辺機器１２０を選択するための情報を含んでもよい。例えば、他の周辺機器１３０がネットワークデバイス１１０に、他の周辺機器１３０が提供中のゲームサービスに係わる情報を含む制御権限要請を伝送すれば、ネットワークデバイス１１０は、ゲームサービスと関連した周辺機器を検索する。ネットワークデバイス１１０に、ゲームサービスと関連した周辺機器であるゲームコントローラが登録されている場合、ネットワークデバイス１１０は、他の周辺機器１３０に制御権限を付与する周辺機器１２０として、ゲームコントローラを選択することができる。
【０１９９】
その後、ネットワークデバイス１１０は、他の周辺機器１３０を識別し（Ｓ２４２０）、識別結果によって、異なる権限を有するＩＤを生成する（Ｓ２４３０）。その後、他の周辺機器１３０は、生成されたＩＤに基づいて、周辺機器１２０を制御する（Ｓ２４４０）。
【０２００】
図２５は、本発明の一実施形態によって、ゲートウェイに登録されたプリンタを、携帯電話が制御する一例を簡単に示した図面である。
【０２０１】
まず、プリンタ１２０−１が、タブレットＰＣ １００−１とデータ通信を連結する（Ｓ２５１０）。ここで、タブレットＰＣ １００−１は、プリンタ１２０−１のデバイス情報を獲得することができる。
【０２０２】
その後、タブレットＰＣ１００−１がゲートウェイ１１０−１に、プリンタ１２０−１のデバイス情報を伝送することにより、ゲートウェイ１１０−１に、プリンタ１２０−１を登録する（Ｓ２５２０）。ここで、ゲートウェイ１１０−１は、事務室や住民センターなど公共場所に設置されたものでもある。
【０２０３】
その後、携帯電話１３０−１がゲートウェイ１１０−１に、データ通信を連結する（Ｓ２５３０）。携帯電話１３０−１がゲートウェイ１１０−１に、データ通信を連結すれば、ゲートウェイ１１０−１は、携帯電話１３０−１を識別することができる。例えば、携帯電話１３０−１が、内部ユーザの端末機としてゲートウェイ１１０−１に登録されている機器であるか否かを識別することができる。
【０２０４】
その後、ゲートウェイ１１０−１は、携帯電話１３０−１に、プリンタ１２０−１に係わる制御権限を付与する（Ｓ２５４０）。ゲートウェイ１１０−１は、携帯電話１３０−１を識別した結果によって、携帯電話１３０−１にプリンタ１２０−１に係わる制御権限を付与することができる。例えば、携帯電話１３０−１が内部ユーザの端末機としてゲートウェイ１１０−１に登録されている機器である場合、携帯電話１３０−１に、無制限の制御権限を付与することができる。一方、携帯電話１３０−１が、内部ユーザの端末機としてゲートウェイ１１０−１に登録されない機器である場合、携帯電話１３０−１に、１回に限り、プリンタ１２０−１を介して文書を出力することができる制御権限を付与する。
【０２０５】
その後、携帯電話１３０−１は、制御権限に基づいて、プリンタ１２０−１を制御して文書を出力することができる。
【０２０６】
図２６は、本発明の一実施形態によって、講義用端末機に連結された学習用端末機を、大型ディスプレイ装置に登録して制御する一例を簡単に示した図面である。
【０２０７】
まず、複数の学習用端末機１２０−２が講義用端末機１００−２に、デバイス情報を伝送する（Ｓ２６１０）。
【０２０８】
例えば、学習用端末機１２０−２は、講義用端末機１００−２と、ＮＦＣ（near field communication）通信が連結されることにより、講義用端末機１００−２に、ＮＦＣ通信を介して、デバイス情報を伝送することができる。本発明の一実施形態によれば、講義用端末機１００−２は、受信されたデバイス情報を利用して、学生の出席いかんを確認することができる。
【０２０９】
ここで、学習用端末機１２０−２は、必ずしも講義用端末機１００−２と、直接通信連結されなければならないものではなく、他の機器を介して、講義用端末機１００−２にデバイス情報を伝送することもできる。
【０２１０】
その後、講義用端末機１００−２が、大型ディスプレイ装置１１０−２に連結する（Ｓ２６２０）。ここで、講義用端末機１００−２は、大型ディスプレイ装置１１０−２に、学習用端末機１２０−２のデバイス情報を伝送することができる。
【０２１１】
その後、大型ディスプレイ装置１１０−２は、デバイス情報に基づいて、学習用端末機１２０−２に連結する（Ｓ２６３０）。このとき、大型ディスプレイ装置１１０−２は、デバイス情報に含まれた学習用端末機１２０−２が支援可能なネットワークを介して、学習用端末機１２０−２と連結することができる。例えば、学習用端末機１２０−２がＷｉ−ｆｉ通信のみ可能であり、大型ディスプレイ装置１１０−２は、ブルートゥース及びＷｉ−ｆｉ通信が可能である場合、大型ディスプレイ装置１１０−２は、Ｗｉ−ｆｉ通信を介して学習用端末機１２０−２と連結することができる。
【０２１２】
その後、大型ディスプレイ装置１１０−２は、学習用端末機１２０−２を制御することにより、学習用端末機１２０−２と、大型ディスプレイ装置１１０−２の講義資料を共有する（Ｓ２６４０）。ここで、講義資料を共有するということは、大型ディスプレイ装置１１０−２と、学習用端末機１２０−２とを介して、ユーザが同一の講義資料に接することが可能であるということを意味する。
【０２１３】
本発明の一実施形態によれば、学習用端末機１２０−２は、大型ディスプレイ装置１１０−２に、講義資料に係わる制御権限を要請することができる。大型ディスプレイ装置１１０−２または講義用端末機１００−２を介して、学習用端末機１２０−２の制御権限要請を承認することにより、学習用端末機１２０−２を介して、大型ディスプレイ装置１１０−２にディスプレイされなる講義資料を制御することにより、学生が発表を進めるようにすることができる。
【０２１４】
一方、大型ディスプレイ装置１１０−２側で、まず学習用端末機１２０−２に、講義資料に係わる制御権限を付与することもできる。
【０２１５】
また、本発明の一実施形態によれば、講義用端末機１１０−２は、大型ディスプレイ装置１１０−２にディスプレイされる講義資料を制御することができる。大型ディスプレイ装置１１０−２は、ディスプレイされる講義資料により、学習用端末機１２０−２にディスプレイされる講義資料を制御することができる。
【０２１６】
図２７は、本発明の一実施形態によって、ホームゲートウェイに連結された周辺機器を携帯電話に登録し、携帯電話が周辺機器を制御する一例を簡単に示した図面である。
【０２１７】
まず、携帯電話１１０−３は、携帯電話１１０−３に連結された周辺機器に係わるログを保存する（Ｓ２７１０）。ここで、携帯電話１１０−３に保存されるログには、周辺機器を利用して提供したサービス、及び周辺機器の類型に係わる情報を含んでもよい。
【０２１８】
例えば、携帯電話１１０−３が、第１スピーカ２７０１及び第１ゲームコントローラ２７０２を利用して、ゲームサービスを提供した場合、ゲームサービスの利用時、スピーカ及びコントローラに係わるデバイス情報を保存することができる。
【０２１９】
その後、携帯電話１１０−３は、ホームゲートウェイ１００−３に連結する（Ｓ２７２０）。ここで、少なくとも１つの周辺機器１２０−３が、ホームゲートウェイ１００−３に登録されている。
【０２２０】
その後、ホームゲートウェイ１００−３は、登録された周辺機器１２０−３のデバイス情報を、携帯電話１１０−３に伝送する（Ｓ２７３０）。
【０２２１】
その後、携帯電話１１０−３は、ホームゲートウェイ１００−３から受信されたデバイス情報のうち、携帯電話１１０−３に保存されたログに基づいて、第２スピーカ１２０−３及び第２ゲームコントローラ１２０−３のデバイス情報を選択することができる。携帯電話１１０−３は、選択されたデバイス情報に基づいて、第２スピーカ１２０−３及び第２ゲームコントローラ１２０−３に連結し、第２スピーカ１２０−３及び第２ゲームコントローラ１２０−３に制御命令を送信したり、あるいは第２スピーカ１２０−３及び第２ゲームコントローラ１２０−３から、制御命令を受信することができる。
【０２２２】
このとき、携帯電話１１０−３は、制御命令を第２スピーカ１２０−３及び第２ゲームコントローラ１２０−３に直接伝送したり、あるいはホームゲートウェイ１００−３を介して伝送することができる。
【０２２３】
図２８は、本発明の他の一実施形態によるデバイス制御システムの構成を簡単に示した構造図である。
【０２２４】
ユーザデバイス１００−４は、第１ネットワークデバイス２８００に連結され、第１ネットワークデバイス２８００は、ユーザデバイス１００−４に、第１ネットワークデバイス２８００に連結された周辺機器１２０のデバイス情報を伝送することができる。
【０２２５】
第１ネットワークデバイス２８００に連結された周辺機器１２０のデバイス情報を獲得したユーザデバイス１００−４は、獲得されたデバイス情報を、第２ネットワークデバイス１１０−４に登録することができる。
【０２２６】
本発明の一実施形態によれば、第２ネットワークデバイス１１０−４または第２ネットワークデバイス１１０−４に連結された他の周辺機器１３０は、第２ネットワークデバイス１１０−４に登録されたデバイス情報を利用して、第１ネットワークデバイス２８００に登録された周辺機器１２０に連結し、周辺機器１２０を制御することができる。
【０２２７】
また、本発明の他の一実施形態によれば、第２ネットワークデバイス１１０−４は、ユーザデバイス１００−４によって登録されたデバイス情報に基づいて、第２ネットワークデバイス１１０−４に連結された他の周辺機器１３０を制御することができる。例えば、ユーザデバイス１００−４によって登録されたデバイス情報に、照明器具の電源がついており、テレビの電源が消えているという情報が含まれた場合、第２ネットワークデバイス１１０−４は、第２ネットワークデバイス１１０−４に連結された他の周辺機器１３０のうち、照明器具の電源はつき、テレビの電源は消えるように制御することができる。
【０２２８】
図２９は、本発明の他の一実施形態によって、周辺機器を登録するプロセスを示したフローチャートである。
【０２２９】
まず、ユーザデバイス１００−４が、第１ネットワークデバイス２８００に連結された周辺機器１２０のデバイス情報を獲得する（Ｓ２９１０）。
【０２３０】
その後、ユーザデバイス１００−４が、第１ネットワークデバイス２８００に係わる連結情報、及び獲得されたデバイス情報を保存する（Ｓ２９２０）。
【０２３１】
その後、ユーザデバイス１００−４が、第２ネットワークデバイス１１０−４と連結される（Ｓ２９３０）。ユーザデバイス１００−４が、第２ネットワークデバイス１１０−４との連結を認識したり、あるいは第２ネットワークデバイス１１０−４からデバイス情報伝送要請を受信する場合、第２ネットワークデバイス１１０−４に、デバイス情報を伝送することができる。
【０２３２】
図３０は、本発明の本発明の他の一実施形態によって、周辺機器を登録するプロセスを示したフローチャートである。
【０２３３】
まず、ユーザデバイス１００−４は、第１ネットワークデバイス２８００と連結される（Ｓ３０１０）。その後、ユーザデバイス１００−４は、第１ネットワークデバイス２８００と連結されることにより、周辺機器登録のためのアプリケーションを実行する（Ｓ３０２０）。
【０２３４】
その後、第１ネットワークデバイス２８００は、第１ネットワークデバイス２８００に連結された周辺機器１２０のデバイス情報を伝送する（Ｓ３０３０）。周辺機器登録のためのアプリケーションを実行したユーザデバイス１００−４は、周辺機器１２０のデバイス情報を獲得することができる。
【０２３５】
その後、ユーザデバイス１００−４は、第２ネットワークデバイス１１０−４と連結される（Ｓ３０４０）。ユーザデバイス１００−４は、第２ネットワークデバイス１１０−４に、第１ネットワークデバイス２８００に連結された周辺機器１２０のデバイス情報を伝送する（Ｓ３０５０）。第２ネットワークデバイス１１０−４は、受信されたデバイス情報を保存する（Ｓ３０６０）。
【０２３６】
図３１は、本発明の他の一実施形態によるデバイス制御システムに含まれたユーザデバイス、及び第２ネットワークデバイスの構造を簡単に示した構造図である。
【０２３７】
周辺機器のデバイス情報を、第２ネットワークデバイス１１０−４に登録するシステムは、第１ネットワークデバイス２８００にデバイス情報を提供する周辺機器１２０；周辺機器１２０のデバイス情報を、ユーザデバイス１００−４に伝送する第１ネットワークデバイス２８００；第１ネットワークデバイス２８００から、周辺機器１２０のデバイス情報を獲得し、第２ネットワークデバイス１１０−４に伝送するユーザデバイス１００−４；ユーザデバイス１００−４から受信されたデバイス情報を保存する第２ネットワークデバイス１１０−４；及び第２ネットワークデバイス１１０−４に保存されたデバイス情報を利用して、周辺機器１２０を制御する他の周辺機器１３０−４；を含んでもよい。
【０２３８】
本発明の一実施形態によれば、第２ネットワークデバイス１１０−４は、ユーザデバイス１００−４から受信されたデバイス情報に基づいて、第２ネットワークデバイス１１０−４に連結された他の周辺機器１３０−４を制御することができる。
【０２３９】
本発明の一実施形態によるユーザデバイス１００−４は、第１ネットワークデバイス１１０に保存された少なくとも１つの周辺機器に係わるデバイス情報を獲得するデバイス情報獲得部３１０１、第２ネットワークデバイス１１０−４に連結し、受信されたデバイス情報を、第２ネットワークデバイス１１０−４に伝送する通信部３１０３、及び前記各各部を制御する制御部３１０２を含んでもよい。
【０２４０】
本発明の一実施形態による第２ネットワークデバイスは、ユーザデバイス１００−４から、第１ネットワークデバイス２８００に保存されたデバイス情報を受信し、保存されたデバイス情報を、第２ネットワークデバイス１１０−４に連結された他の周辺機器１３０に伝送する通信部３１１３、デバイス情報を保存する保存部３１１１、及び前記各部を制御する制御部３１１２を含んでもよい。
【０２４１】
図３２は、本発明の一実施形態によって、ユーザデバイスが周辺機器を登録して制御する一例を示した図面である。
【０２４２】
まず、ユーザデバイス１００−４は、第１ネットワークデバイス２８００に登録された周辺機器１２０のデバイス情報を獲得する（Ｓ３２１０）。
【０２４３】
その後、ユーザデバイス１００−４は、第２ネットワークデバイス１１０−４に連結する（Ｓ３２２０）。このとき、第２ネットワークデバイス１１０−４には、他の周辺機器１３０が登録されている。
【０２４４】
その後、ユーザデバイス１００−４は、Ｓ３２１０段階で獲得されたデバイス情報に基づいて、他の周辺機器１３０を制御する（Ｓ３２３０）。
【０２４５】
図３３は、本発明の他の一実施形態によって、ユーザデバイスが周辺機器を登録して制御する一例を示した図面である。
【０２４６】
まず、ユーザデバイス１００−４は、第１ネットワークデバイス２８００に登録された周辺機器１２０のデバイス情報を獲得する（Ｓ３３１０）。
【０２４７】
その後、ユーザデバイス１００−４は、第２ネットワークデバイス１１０−４に連結する。第２ネットワークデバイス１１０−４に連結されたユーザデバイス１００−４は、第２ネットワークデバイス１１０−４に、周辺機器１２０のデバイス情報及び第１ネットワークデバイス２８００の連結情報を伝送する（Ｓ３３２０）。
【０２４８】
ここで、第１ネットワークデバイス２８００の連結情報は、第１ネットワークデバイスに連結するための情報である。例えば、第１ネットワークデバイス２８００の連結情報は、第１ネットワークデバイス２８００のＩＰアドレスや連結暗号などが含まれる。
【０２４９】
その後、第２ネットワークデバイス１１０−４は、第１ネットワークデバイス１１０−４に連結する。その後、第２ネットワークデバイス１１０−４または第２ネットワークデバイス１１０−４に連結された他の周辺機器１３０は、第１ネットワークデバイス１１０−４を介して周辺機器１２０に連結し、周辺機器１２０を制御する（Ｓ３３３０）。
【０２５０】
図３４は、本発明のさらに他の一実施形態によって、ユーザデバイスが周辺機器を登録して制御する一例を示した図面である。
【０２５１】
まず、ユーザデバイス１００−４は、第１ネットワークデバイス２８００に登録された周辺機器１２０のデバイス情報を獲得する（Ｓ３４１０）。
【０２５２】
その後、ユーザデバイス１００−４は、第２ネットワークデバイス１１０−４に連結する。第２ネットワークデバイス１１０−４に連結されたユーザデバイス１００−４は、第２ネットワークデバイス１１０−４に、周辺機器１２０のデバイス情報を伝送する（Ｓ３４２０）。
【０２５３】
その後、第２ネットワークデバイス１１０−４は、ユーザデバイス１００−４を介して、第１ネットワークデバイス１１０−４に連結する。その後、第２ネットワークデバイス１１０−４または第２ネットワークデバイス１１０−４に連結された他の周辺機器１３０は、ユーザデバイス１００−４及び第１ネットワークデバイス１１０−４を介して周辺機器１２０に連結し、周辺機器１２０を制御する（Ｓ３４３０）。
【０２５４】
前記各段階を介してユーザデバイス１００−４は、第２ネットワークデバイス１１０−４または第２ネットワークデバイス１１０−４に連結された他の周辺機器１３０が、周辺機器１２０に連結するための経路を提供するルータのような役割を行うことができる。
【０２５５】
図３４に開示されたプロセスは、第１ネットワークデバイス２８００の連結情報を、第２ネットワークデバイス１１０−４に伝送することができないか、あるいは伝送を願わない場合に有用である。
【０２５６】
図３５は、本発明の一実施形態によるデバイス情報の構成を示す図面である。
【０２５７】
本発明の一実施形態によれば、デバイス情報は、周辺機器１２０を識別するための情報を含んでもよい。例えば、図３５に示されているように、デバイス情報は、デバイスの名称や、デバイスが属するグループに係わる情報を含んでもよい。また、ネットワークデバイス１１０は、デバイス情報を保存するとき、周辺機器１２０に対してＩＤを付与し、デバイス情報にＩＤを含んで保存することができる。
【０２５８】
また、本発明の一実施形態によれば、デバイス情報は、周辺機器１２０に連結するための情報を含んでもよい。例えば、図３５に示されているように、デバイス情報は、デバイスのＩＰアドレス、ＭＡＣアドレス、連結ポートまたはＳＳＩＤなどを含んでもよい。
【０２５９】
また、本発明の一実施形態によれば、デバイス情報は、周辺機器１２０の状態に係わる情報を含んでもよい。例えば、図３５に示されているように、デバイス情報は、周辺機器１２０の現在電源状態、ユーザデバイス１００が周辺機器１２０に連結して周辺機器を使用した使用時間、周辺機器１２０にユーザデバイス１００が連結された回数などが含まれる。
【０２６０】
本発明の一実施形態は、コンピュータによって実行されるプログラム・モジュールのようなコンピュータによって実行可能な命令語を含む記録媒体の形態でも具現される。コンピュータ可読媒体は、コンピュータによってアクセスされる任意の可用媒体でもあり、揮発性及び不揮発性の媒体、分離型及び非分離型の媒体をいずれも含む。また、コンピュータ可読媒体は、コンピュータ記録媒体及び通信媒体をいずれも含んでもよい。コンピュータ記録媒体は、コンピュータ可読命令語、データ構造、プログラム・モジュールまたはその他データのような、情報保存のための任意の方法または技術によって具現された揮発性及び不揮発性、分離型及び非分離型の媒体をいずれも含む。通信媒体は、典型的に、コンピュータ可読命令語、データ構造、プログラム・モジュール、または搬送波のような変調されたデータ信号のその他データ、またはその他伝送メカニズムを含み、任意の情報伝達媒体を含む。
【０２６１】
前述の本発明の説明は、例示のためのものであり、本発明が属する技術分野の当業者であるならば、本発明の技術的思想や必須な特徴を変更せずにも、他の具体的な形態に容易に変形が可能であるということを理解することができるであろう。従って、以上で記述した実施形態は、全ての面で例示的なものであり、限定的ではないという理解しなければならない。例えば、単一型で説明されている各構成要素は、分散されて実施されもし、同様に、分散されているとして説明されている構成要素も、結合された形態で実施されもする。
【０２６２】
本発明の範囲は、前記詳細な説明よりは、特許請求の範囲によって示され、特許請求の範囲の意味、範囲及びその均等概念から導き出される全ての変更または変形された形態は、本発明の範囲に含まれるものであると解釈されなければならない。
【産業上の利用可能性】
【０２６３】
本発明の周辺機器のデバイス情報を登録するためのデバイス制御方法、デバイス及びそのシステムは、例えば、ネットワーク関連の技術分野に効果的に適用可能である。
【符号の説明】
【０２６４】
１００    ユーザデバイス
１１０    ネットワークデバイス
１２０    周辺機器
１３０    他の周辺機器
【図１】
2014120171.tif 000003
【図２】
2014120171.tif 000004
【図３】
2014120171.tif 000005
【図４Ａ】
2014120171.tif 000006
【図４Ｂ】
2014120171.tif 000007
【図４Ｃ】
2014120171.tif 000008
【図４Ｄ】
2014120171.tif 000009
【図５】
2014120171.tif 000010
【図６】
2014120171.tif 000011
【図７】
2014120171.tif 000012
【図８】
2014120171.tif 000013
【図９】
2014120171.tif 000014
【図１０】
2014120171.tif 000015
【図１１】
2014120171.tif 000016
【図１２】
2014120171.tif 000017
【図１３】
2014120171.tif 000018
【図１４】
2014120171.tif 000019
【図１５】
2014120171.tif 000020
【図１６】
2014120171.tif 000021
【図１７】
2014120171.tif 000022
【図１８】
2014120171.tif 000023
【図１９】
2014120171.tif 000024
【図２０】
2014120171.tif 000025
【図２１】
2014120171.tif 000026
【図２２】
2014120171.tif 000027
【図２３】
2014120171.tif 000028
【図２４】
2014120171.tif 000029
【図２５】
2014120171.tif 000030
【図２６】
2014120171.tif 000031
【図２７】
2014120171.tif 000032
【図２８】
2014120171.tif 000033
【図２９】
2014120171.tif 000034
【図３０】
2014120171.tif 000035
【図３１】
2014120171.tif 000036
【図３２】
2014120171.tif 000037
【図３３】
2014120171.tif 000038
【図３４】
2014120171.tif 000039
【図３５】
2014120171.tif 000040